(57)【要約】【課題】熱交換器をプロペラファンの軸方向及び側面に近付けて配設し、熱交換器に流入する風量を増大させることにより、低コスト、低圧力損失、低騒音で、送風効率の高い室内ユニット及びこれを備えた空気調和機を提供する。【解決手段】空気の吸い込み口２と吹き出し口３を有する本体ケーシング１と、本体ケーシング１内に配設された熱交換器１０と、熱交換器１０と吹き出し口３との間に配設され、吸い込み口２から吸い込んだ空気を熱交換器１０を通過させて吹き出し口３から吹き出すためのプロペラファン１５とを備え、熱交換器１０を、プロペラファン１５の背面側及び両側面側に位置するように構成した。【選択図】図２
2010190461.tif 000002
【特許請求の範囲】
【請求項１】
空気の吸い込み口と吹き出し口を有する本体ケーシングと、該本体ケーシング内に配設された熱交換器と、該熱交換器と前記吹き出し口との間に配設され、前記吸い込み口から吸い込んだ空気を前記熱交換器を通過させて前記吹き出し口から吹き出すためのプロペラファンとを備え、
前記熱交換器を、前記プロペラファンの背面側及び両側面側に位置するように構成したことを特徴とする室内ユニット。
【請求項２】
前記熱交換器の上部に上部熱交換器を配設したことを特徴とする請求項１記載の室内ユニット。
【請求項３】
前記プロペラファンの背面側の熱交換器の背面側および前記プロペラファンの両側面側の熱交換器の外側に前記吸い込み口から前記熱交換器に前記空気を導く通風路を設けたことを特徴とする請求項１又は２記載の室内ユニット。
【請求項４】
前記吹き出し口に、前記プロペラファンによって吹き出される空気の吹き出し方向を制御する可動式のベーンを設けたことを特徴とする請求項１〜３のいずれか１項に記載の室内ユニット。
【請求項５】
請求項１〜４のいずれか１項の室内ユニットを備えたことを特徴とする空気調和機。
【発明の詳細な説明】
【技術分野】
【０００１】
本発明は、空気調和機の室内ユニット及びこの室内ユニットを備えた空気調和機に関するものである。
【背景技術】
【０００２】
従来の空気調和機に、空気入口及び空気出口を有する本体ケーシングと、この本体ケーシング内に配設された熱交換器からなり、空気出口に、複数のプロペラファンを空気出口の幅方向に並設したファンユニットを配設し、ファンユニットを構成するプロペラファンを駆動することによって室内の空気調和を行いうるようにして、本体ケーシングの薄型化及び小型化をはかったものがある（例えば、特許文献１参照）。
【０００３】
また、熱交換器により熱交換された空気を送風する複数のプロペラファンを熱交換器の前面側に設置するように構成し、これにより、本体の奥行寸法を小さくすることができ、また、複数の熱交換ユニットを用いて熱交換器を構成することにより熱交換器のモジュール化を図り、さらに、制御手段が３台のプロペラファンを個々に制御するようにしたエアコン室内機がある（例えば、特許文献２参照）。
【先行技術文献】
【特許文献】
【０００４】
【特許文献１】特開２００５−３２４４号公報（第４頁、図１−２）
【特許文献２】特開２００４−２６３９９２号公報（第２−３頁、図１）
【発明の概要】
【発明が解決しようとする課題】
【０００５】
特許文献１，２に開示された空気調和機の室内ユニットにおいては、複数のプロペラファンを用いているにもかかわらず、熱交換器とプロペラファンとの配置について十分考慮されていないため、送風力の強いプロペラファンの側面を有効に利用することができず、このため送風効率が悪く低騒音化ができないという問題があった。
【０００６】
本発明は、上記の課題を解決するためになされたもので、熱交換器をプロペラファンの軸方向及び送風力の強い側面に近付けて配設し、熱交換器に流入する風量を増大させることにより、低コスト、低圧力損失、低騒音で送風効率の高い室内ユニット及びこれを備えた空気調和機を提供することを目的としたものである。
【課題を解決するための手段】
【０００７】
本発明に係る室内ユニットは、空気の吸い込み口と吹き出し口を有する本体ケーシングと、該本体ケーシング内に配設された熱交換器と、該熱交換器と前記吹き出し口との間に配設され、前記吸い込み口から吸い込んだ空気を前記熱交換器を通過させて前記吹き出し口から吹き出すためのプロペラファンとを備え、前記熱交換器を、前記プロペラファンの背面側及び両側面側に位置するように構成したものである。
【０００８】
また、本発明に係る空気調和機は、上記の室内ユニットを備えたものである。
【発明の効果】
【０００９】
本発明によれば、従来より大量の空気を吸い込んで熱交換器を通過させることができるので、所望の風量を得るのに必要なプロペラファンの回転数を低減することができるため、低コスト、低圧力損失、低騒音で、送風効率の高い室内ユニット及びこれを備えた空気調和機を得ることができる。
【図面の簡単な説明】
【００１０】
【図１】本発明の実施の形態１に係る室内ユニットの模式的正面図である。
【図２】図１の上面図である。
【図３】図１の側面図である。
【図４】本発明の実施の形態２に係る室内ユニットの模式的正面図である。
【図５】図４の上面図である。
【図６】図４の側面図である。
【図７】本発明の実施の形態３に係る室内ユニットの模式的側面図である。
【発明を実施するための形態】
【００１１】
［実施の形態１］
図１〜図３は本発明の実施の形態１に係る室内ユニットを模式的に示した正面図、上面図及び側面図である。
図に示すように、箱状の本体ケーシング１の上面の一部には空気の吸い込み口２が設けられており、前面の一部には空気の吹き出し口３が設けられている。
【００１２】
そして、本体ケーシング１内には、正面部１０ａとその両側に設けられた側面部１０ｂ，１０ｃとからなるコ字状の熱交換器１０が配設されている。また、吸い込み口２の下方において熱交換器１０の背面側及び両側面側には、吸い込み口２から吸い込んだ空気を熱交換器１０に導くコ字状の通風路４が、熱交換器１０をとり囲むように設けられている。
また、吹き出し口３と熱交換器１０との間には、吸い込み口２から吸い込んだ空気を、熱交換器１０を通過させて吹き出し口３へ送るための、複数のプロペラファン１５ａ，１５ｂ（以下、単に１５と記すことがある）が回転軸が床面と略平行であって、吹き出し口３と略垂直となるように設けられている。
【００１３】
上記のように構成した室内ユニットにおいて、電源をＯＮしてプロペラファン１５ａ，１５ｂを駆動すると、吸い込み口２から吸い込まれた空気は、熱交換器１０の背面及び両側面に設けた通風路４から、熱交換器１０の正面部１０ａ及び両側面部１０ｂ，１０ｃ内に導かれて熱交換され、吹き出し口３から室内に吹き出される。
【００１４】
上記の説明では、吹き出し口３と熱交換器１０との間に２台のプロペラファン１５ａ，１５ｂを設けた場合を示したが、プロペラファン１５は１台でもよく、３台以上であってもよい。
また、空気の吸い込み口２を、本体ケーシング１の上面のみに設けた場合を示したが、両側面にも設けてもよい。この場合は通風路４は熱交換器１０の背面側だけに設け、側面側は省略して側面に設けた吸い込み口から直接熱交換器１０の側面部１０ｂ，１０ｃに流入するようにしてもよい。なお、これら吸い込み口と熱交換器１０との間に、フィルタを設けてもよい。
【００１５】
上記のように構成した本実施の形態に係る室内ユニットは、熱交換器１０を本体ケーシング１内の背面から両側面にわたるコ字状に形成し、その内側にプロペラファン１５を配設して、熱交換器１０の両側面部１０ｂ，１０ｃをプロペラファン１５の側面の近くに位置させた。
プロペラファン１０は、軸方向だけでなく側面からも空気を吸い込むことができ、しかもその送風力は強いので、従来の室内ユニットに比べて大量の空気を吸い込むことができる。このように送風性能が高くなるため、所望の風量を得るのに必要なプロペラファン１５の回転数を低減することができ、省エネルギー化、低騒音化を実現することができる。
【００１６】
また、同様の理由により、プロペラファン１５の１台あたりの送風量が増大するため、プロペラファン１５の数を減らすことができ、これにより製造コストを低減することができる。
【００１７】
さらに、熱交換器１０をコ字状に形成したことにより空気の通過面積を増加できるため、熱交換器１０の通過風速を低下させることができ、これによって圧力損失が低減され、低騒音化することができる。
また、同様の理由によりプロペラファン１５の入力を低減できるため、室内ユニットを高効率化することができ、プロペラファン１５を薄形化できるので、室内ユニットをさらに薄型化することができる。
【００１８】
また、熱交換器１０をコ字状に配設したことにより、熱交換器１０の吸い込み口２側の通風路４を十分に確保できるため、通風路４における圧力損失を低減することができ、低騒音化することができる。
【００１９】
［実施の形態２］
図４〜図６は本発明の実施の形態２に係る室内ユニットを模式的に示した正面図、上面図及び側面図である。なお、実施の形態１と同じ部分にはこれと同じ符号を付し、説明を省略する。
本実施の形態は、実施の形態１の場合と同様に、本体ケーシング１内にコ字状の熱交換器１０を配設し、さらにその上部に、上部熱交換器１１を配設したものである。なお、本実施の形態においては、吸い込み口２は、本体ケーシング１の上面の全面に設けられている。
【００２０】
本実施の形態においても実施の形態１の場合とほぼ同様の作用により、ほぼ同様の効果を得ることができるが、さらに、コ字状の熱交換器１０の上部に上部熱交換器１１を設けたので、プロペラファン１５によるコ字状の熱交換器１０への空気の流入に加えて、上部熱交換器１１へも空気が流入するため送風量がさらに増加する。このため、所望の風量を得るに必要なプロペラファン１５の回転数を低減することができ、省エネルギー化、低騒音化を実現することができる。
【００２１】
また、実施の形態１の室内ユニットに比べて、より圧力損失の低減、室内ユニットの高効率化を実現することができる。なお、上記の説明では、コ字状の熱交換器１０の上部に上部熱交換器１１を設けた場合を示したが、コ字状の熱交換器１０の下部に熱交換器を設けてもよい。この場合は、吸い込み口を本体ケーシング１の底板にも設ける必要がある。
【００２２】
［実施の形態３］
図７は本発明の実施の形態３に係る室内ユニットを模式的に示した側面図である。なお、実施の形態１，２と同じ部分にはこれと同じ符号を付し、説明を省略する。
本実施の形態は、実施の形態１又は２に係る室内ユニット（図には実施の形態２の場合が示してある）の吹き出し口３の上下に、熱交換されて吹き出す空気の吹き出し方向を制御するための、可動式のベーン５を設けたものである。
【００２３】
このように構成したことにより、熱交換されて吹き出し口３から吹き出される空気の吹き出し方向を、ベーン５の位置を調整することにより、室内空調に必要な領域のみに送風することができるので、実質風量を低減することができ、室内ユニットをより低騒音化することができる。なお、上記の説明では、吹き出し口３の上下にベーン５を設けた場合を示したが、ベーン５を吹き出し口３の左右に設けてもよく、あるいは上下左右に設けてもよい。
【００２４】
［実施の形態４］
本実施の形態は、空気調和機に実施の形態１〜３のいずれかの室内ユニット１を用いたもので、前記の室内ユニットの効果を備えた空気調和機を得ることができる。
【符号の説明】
【００２５】
１  本体ケーシング、２  吸い込み口、３  吹き出し口、４  通風路、５  ベーン、１０  熱交換器、１１  上部熱交換器、１５  プロペラファン。
【図１】
2010190461.tif 000003
【図２】
2010190461.tif 000004
【図３】
2010190461.tif 000005
【図４】
2010190461.tif 000006
【図５】
2010190461.tif 000007
【図６】
2010190461.tif 000008
【図７】
2010190461.tif 000009